(57)【要約】【課題】安価で汎用性に優れた電気掃除機を提供する。【解決手段】電気掃除機11は、電動送風機15を有する。電気掃除機11は、電動送風機15の入力の位相角を設定する制御素子31を有する。電気掃除機11は、抵抗値を可変設定できるとともに、抵抗値の可変設定により電動送風機15のパワーを可変設定する可変抵抗器33を有する。電気掃除機11は、可変抵抗器33の抵抗値に対応して、制御素子31により設定する電動送風機15の入力の位相角を、所定の限度値以上の高調波が発生する所定の位相角の範囲を避けて決定する制御手段32を有する。【選択図】図１
2012090733.tif 000002
【特許請求の範囲】
【請求項１】
電動送風機と、
この電動送風機の入力の位相角を設定する制御素子と、
抵抗値を可変設定できるとともに、この抵抗値の可変設定により前記電動送風機のパワーを可変設定する可変抵抗器と、
この可変抵抗器の抵抗値に対応して、前記制御素子により設定する前記電動送風機の入力の位相角を、所定の限度値以上の高調波が発生する所定の位相角の範囲を避けて決定する制御手段と
を具備したことを特徴とした電気掃除機。
【請求項２】
電動送風機の電流値を検出する電流検出手段を具備し、
制御手段は、前記電流検出手段により検出した前記電動送風機の電流値が予め設定された所定値以上であるときに、制御素子により設定する前記電動送風機の入力の位相角を、所定の限度値以上の高調波が発生する所定の位相角の範囲を避けて決定する
ことを特徴とした請求項１記載の電気掃除機。
【請求項３】
制御手段は、制御素子により設定する電動送風機の入力の位相角が、所定の限度値以上の高調波が発生する所定の位相角の範囲より小さいときと大きいときとで、可変抵抗器の抵抗値の変化量に対応する前記制御素子により設定する前記電動送風機の入力の位相角の変化量を異ならせる
ことを特徴とした請求項１または２記載の電気掃除機。
【請求項４】
制御手段は、電動送風機の入力の位相角が所定の限度値以上の高調波が発生する所定の位相角よりも小さい領域では、可変抵抗器の抵抗値の変化量に対応する制御素子により設定する前記電動送風機の入力の位相角の変化量を相対的に小さくし、前記電動送風機の入力の位相角が所定の限度値以上の高調波が発生する所定の位相角よりも大きい領域では、可変抵抗器の抵抗値の変化量に対応する制御素子により設定する前記電動送風機の入力の位相角の変化量を相対的に大きくする
ことを特徴とした請求項３記載の電気掃除機。
【発明の詳細な説明】
【技術分野】
【０００１】
本発明の実施形態は、電動送風機を位相制御する電気掃除機に関する。
【背景技術】
【０００２】
従来、この種の電気掃除機は、電動送風機を収容した掃除機本体を備えている。掃除機本体には、電動送風機の吸込側に連通して集塵室が形成されている。この集塵室には、例えば集塵袋、あるいは集塵カップなどの集塵部が配置されており、電動送風機の駆動により吸い込んだ塵埃を捕集するように構成されている。
【０００３】
このような電気掃除機においては、例えば被掃除面の塵埃量などに対応させて、電動送風機による吸込力が可変できることが望ましく、このような吸込力の可変の際には、一般に、電動送風機の入力を位相制御する。
【先行技術文献】
【特許文献】
【０００４】
【特許文献１】特許第３３１４９０１号公報
【特許文献２】特開平１０−３２８１０１号公報
【発明の概要】
【発明が解決しようとする課題】
【０００５】
上記特許文献１および特許文献２に記載された構成では、使用者が可変抵抗器を操作することによって、商用交流電源の位相角を連続的に変化させ、電動送風機の入力の位相角を制御可能である。このとき、電動送風機の入力の位相角が所定の範囲、特に９０°付近になると入力電流に多くの高調波が含まれ、力率の低下やノイズの発生の原因となるため、上記特許文献１および特許文献２に記載された構成では、可変抵抗器のストローク位置と抵抗値との対応関係を予め特殊に設定することで、可変抵抗器の抵抗値を、位相角が９０°付近とならないようにしている。
【０００６】
しかしながら、このような構成の場合、専用の特殊な可変抵抗器を要するため、安価とすることが容易でないとともに、例えば使用国が異なるため電源電圧や最大入力などの仕様が異なる電気掃除機に対して、それぞれ対応させた可変抵抗器が必要となり、汎用性に乏しい。
【０００７】
本発明は、このような点に鑑みなされたもので、安価で汎用性に優れた電気掃除機を提供することを目的とする。
【課題を解決するための手段】
【０００８】
実施形態の電気掃除機は、電動送風機を有する。また、この電気掃除機は、電動送風機の入力の位相角を設定する制御素子を有する。さらに、この電気掃除機は、抵抗値を可変設定できるとともに、この抵抗値の可変設定により電動送風機のパワーを可変設定する可変抵抗器を有する。そして、この電気掃除機は、可変抵抗器の抵抗値に対応して、制御素子により設定する電動送風機の入力の位相角を、所定の限度値以上の高調波が発生する所定の位相角の範囲を避けて決定する制御手段を有する。
【図面の簡単な説明】
【０００９】
【図１】第１の実施形態の電気掃除機の内部構造を示すブロック図である。
【図２】同上電気掃除機を示す斜視図である。
【図３】(a)は同上電気掃除機の可変抵抗器の抵抗値の変化特性を模式的に示すグラフ、(b)は可変抵抗器のストロークと制御手段が決定する制御素子による電動送風機の入力の変換テーブルを模式的に示すグラフである。
【図４】同上電動送風機の入力と(３次)高調波電流との関係を示すグラフである。
【図５】第２の実施形態の電気掃除機の内部構造を示すブロック図である。
【図６】(a)は同上電気掃除機の可変抵抗器の抵抗値の変化特性を模式的に示すグラフ、(b)は可変抵抗器のストロークと制御手段が決定する制御素子による電動送風機の入力の変換テーブルを模式的に示すグラフである。
【図７】同上電動送風機の入力と(３次)高調波電流との関係を示すグラフである。
【図８】(a)は第３の実施形態の電気掃除機の可変抵抗器の抵抗値の変化特性を模式的に示すグラフ、(b)は可変抵抗器のストロークと制御手段が決定する制御素子による電動送風機の入力の変換テーブルを模式的に示すグラフである。
【発明を実施するための形態】
【００１０】
以下、第１の実施形態の構成を、図面を参照して説明する。
【００１１】
図２において、11はいわゆるキャニスタ型の電気掃除機を示し、この電気掃除機11は、掃除機本体12と、この掃除機本体12に着脱可能に接続される管部である風路形成体13とを有している。
【００１２】
掃除機本体12は、被掃除面上を旋回および走行可能であり、内部に電動送風機15が収容されているとともに、この電動送風機15の吸込側に連通する図示しない集塵部を備えている。また、この掃除機本体12の前部には、集塵部に連通するとともに風路形成体13の基端側が接続される本体吸込口17が開口形成されている。さらに、この掃除機本体12の上部、すなわち使用者に対向し使用者から目視可能な位置の一側には、電動送風機15などの電動部のオンオフ、すなわち電気掃除機11のオンオフを操作する電源スイッチ18が配置されている。そして、この掃除機本体12の上部の略中央部には、使用者が電動送風機15の吸込力を可変設定するための可変操作部19が配置されている。また、掃除機本体12には、排気用の排気孔20が形成されている。
【００１３】
また、風路形成体13は、本体吸込口17に接続される接続管部21と、この接続管部21の先端側に連通する可撓性を有するホース体22と、このホース体22の先端側に設けられ使用者が風路形成体13を把持操作するための手元操作部23と、この手元操作部23の先端側に着脱可能に接続される延長管24と、この延長管24の先端側に連通接続される吸込口体としての床ブラシ26とを備えている。そして、この風路形成体13は、集塵部などとともに電動送風機15の吸込側に連通する風路を内部に区画する風路構成体である。
【００１４】
集塵部は、例えば紙パックなどの集塵袋、サイクロン(遠心)分離装置などの集塵装置、あるいは単なる濾過フィルタなどであり、電動送風機15の駆動により風路形成体13を介して空気とともに吸い込まれた塵埃を捕集するものである。
【００１５】
次に、電気掃除機11の内部構造について説明する。
【００１６】
図１に示すように、電気掃除機11は、例えば１００Ｖ〜２４０Ｖの商用交流電源ｅに対して、図示しない電源コードを介して電動送風機15と制御素子31との直列回路が電気的に接続される。ここで、電源コードは、掃除機本体12(図２)に収容されたコードリールに巻回されており、壁面などのコンセントに接続される先端側のプラグ部が掃除機本体12(図２)の外部に位置している。そして、電源コードは、コードリールから引き出すことで掃除機本体12(図２)から離間されたコンセントに対してプラグ部を接続可能となるとともに、コードリールに巻き取ることで基端側が掃除機本体12(図２)に対して収納されるように構成されている。
【００１７】
制御素子31は、商用交流電源ｅを位相制御することにより電動送風機15の入力の位相角を設定するものである。そして、この制御素子31は、例えばトライアックなどの交流制御素子であり、その制御端子31aが制御手段32に対して電気的に接続されている。
【００１８】
制御手段32は、制御素子31の制御端子31aにトリガ信号を与えることで制御素子31のオンオフを切り換えて、制御素子31により設定する電動送風機15の入力の位相角を決定するものである。また、この制御手段32は、可変抵抗器33と電気的に接続されている。さらに、この制御手段32は、例えばマイコンなどのデジタル回路であり、例えば既知のゼロクロス検出回路などのゼロクロス検出手段34を介して商用交流電源ｅの電圧波形のゼロクロスポイントを検出可能となっている。
【００１９】
ここで、可変抵抗器33は、可変操作子33aが可変操作部19(図２)と連結されており、可変操作部19(図２)のスライドによって可変操作子33aがスライドすることで、抵抗値を可変設定可能となっている。この可変抵抗器33の抵抗値の変化特性は、少なくとも所定の限度値Ｌ(例えばＩＥＣ規格により規定された限度値、図４)以上の高調波が発生する所定の位相角の範囲、すなわち９０°付近に対応する領域において滑らか、すなわち屈曲点を有さないように構成されている。具体的に、本実施形態では、可変抵抗器33は、図３(a)に示すように、例えば可変操作部19(図２)を一側(例えば左側)にスライドさせるほど抵抗値が大きくなり、可変操作部19(図２)を他側(例えば右側)にスライドさせるほど抵抗値が小さくなるように設定されている。すなわち、可変抵抗器33は、抵抗値がリニア(線形)に変化している。また、この可変抵抗器33は、一端が図示しない所定の定電圧源に電気的に接続されており、他端が接地され、その抵抗値の変化によって定電圧源の電圧を分圧し、その分圧された電圧を制御手段32が読み取るように構成されている。
【００２０】
すなわち、制御手段32は、ゼロクロス検出手段34によって検出したゼロクロス周期毎に可変抵抗器33のアナログ値である抵抗値に対応する分圧電圧をデジタル変換して読み込むことで、制御素子31へのトリガ信号(トリガパルス)のタイミングを決定して、制御素子31により設定する電動送風機15の入力の位相角を決定する。換言すれば、制御手段32は、ゼロクロス点からのオフ時間に応じたトリガ信号を制御素子31の制御端子31aに供給することで制御素子31のオンオフを切り換え、電動送風機15の入力を制御する。したがって、電気掃除機11は、可変抵抗器33の抵抗値の可変設定により電動送風機15のパワーを可変設定するように構成されている。
【００２１】
この位相角の決定の際には、制御手段32は、例えば読み込んだ分圧電圧と、図示しない記憶手段に記憶した変換テーブルとを比較する。この変換テーブルは、例えば図３(b)に示すように、可変抵抗器33の抵抗値が予め設定された所定の第１閾値未満の領域Ａにおいては、抵抗値の減少(増加)に対応して入力をリニア(線形)に増加(減少)させ、可変抵抗器33の抵抗値が予め設定された所定の第１閾値以上第２閾値未満の領域Ｂ、すなわち所定の限度値Ｌ(図４)以上の高調波が発生する位相角である９０°の位相角付近においては、可変抵抗器33の抵抗値の変化(増減)に拘らず一定の入力に設定し、可変抵抗器33の抵抗値が予め設定された所定の第２閾値以上の領域Ｃにおいては、抵抗値の減少(増加)に対応して入力をリニア(線形)に増加(減少)させるように設定されている。すなわち、この変換テーブルは、制御素子31の位相角を、所定の限度値Ｌ(図４)以上の高調波が発生する位相角の範囲、すなわち９０°付近を避けて決定するように構成されている。なお、領域Ａと領域Ｃとの入力の変化率、すなわち抵抗値の変化量に対応する入力の変化量は、例えば略同一とする。
【００２２】
なお、本実施形態において、制御手段32はデジタル回路であるため、変換テーブルの入力の変化は微視的に見ると階段状であるものの、その段差は実用上問題がない範囲で任意に小さく設定できるので、以下、変換テーブルの入力の変化は滑らかであるものとして説明する。
【００２３】
次に、上記第１の実施形態の動作を説明する。
【００２４】
使用者は、電源コードをコンセントに接続することで電気掃除機11を商用交流電源ｅに電気的に接続し、電源スイッチ18を操作することで電気掃除機11を起動させ、被掃除面の種類、あるいは塵埃量などの状態などに応じて、可変操作部19を左右にスライドさせて、電動送風機15の吸込力が所望の吸込力となった位置で停止させる。
【００２５】
すなわち、制御手段32は、使用者による可変操作部19のスライド位置に対応する可変抵抗器33の可変操作子33aのスライド位置により設定された可変抵抗器33の抵抗値に対応する分圧電圧を、ゼロクロス検出手段34によって検出したゼロクロス周期毎にデジタル変換して読み込み、その分圧電圧に対応して、制御素子31へのトリガ信号のタイミングを決定することで、制御素子31により設定する電動送風機15の入力の位相角を決定する。
【００２６】
具体的に、図３(b)に示すように、制御手段32は、可変抵抗器33の抵抗値が領域Ａ内であるときは、抵抗値の減少(増加)に対応して入力をリニア(線形)に増加(減少)させる。
【００２７】
また、制御手段32は、可変抵抗器33の抵抗値が領域Ｂ内であるときは、可変抵抗器33の抵抗値の変化(増減)に拘らず一定の入力に設定する。
【００２８】
さらに、制御手段32は、可変抵抗器33の抵抗値が領域Ｃ内であるときは、抵抗値の減少(増加)に対応して入力をリニア(線形)に増加(減少)させる。
【００２９】
この結果、図４に示すように、(３次)高調波電流が所定の限度値Ｌを超えることがない。
【００３０】
そして、使用者は、所望のパワーで動作させた電動送風機15の駆動により発生する負圧によって被掃除面から床ブラシ26などの風路形成体13を介して塵埃を空気とともに吸い込む。この吸い込んだ塵埃は、空気とともに集塵部に運ばれ、この集塵部で捕集される。なお、この塵埃が捕集された空気は、電動送風機15に吸い込まれた後、排気孔20を介して掃除機本体12の外部へと排気される。
【００３１】
掃除が終了すると、使用者は電源スイッチ18を操作することで、電気掃除機11(電動送風機15)を停止させる。
【００３２】
このように、上記第１の実施形態によれば、制御手段32が、可変抵抗器33の抵抗値に対応して、制御素子31により設定する電動送風機15の入力の位相角を、所定の限度値Ｌ以上の高調波が発生する所定の位相角の範囲、すなわち９０°付近を避けて決定することにより、汎用の可変抵抗器33を用いつつ、入力電流に含まれる高調波を抑制できる。
【００３３】
次に、第２の実施形態を、図５ないし図７を参照して説明する。なお、上記第１の実施形態と同様の構成および作用については、同一符号を付してその説明を省略する。
【００３４】
この第２の実施形態は、上記第１の実施形態において、図５に示すように、制御手段32が、電流検出手段37により電動送風機15に流れる電流値を検出しているものである。
【００３５】
そして、制御手段32は、電流検出手段37により検出した電動送風機15の電流値が予め設定された所定値以上であるときにのみ、制御素子31により設定する電動送風機15の入力の位相角を、所定の限度値Ｌ以上の高調波が発生する所定の位相角の範囲、すなわち９０°付近を避けて決定する。
【００３６】
より詳細には、図６に示すように、制御手段32は、電流検出手段37により検出した電動送風機15の電流値に応じて、記憶手段に記憶された予め複数の異なる変換テーブルから所望の変換テーブルを択一的に選択、または、変換テーブルの第１閾値および／または第２閾値を可変設定することで、所定の限度値Ｌ以上の高調波が発生する所定の位相角の範囲である９０°付近に対応する領域Ｂの範囲を可変できるように構成されている。具体的に、制御手段32は、電流検出手段37により検出した電動送風機15の電流値が相対的に小さいとき(所定値未満のとき)には領域Ｂを縮小させ、電流検出手段37により検出した電動送風機15の電流値が相対的に大きいとき(所定値以上のとき)には領域Ｂを拡大させる。なお、この領域Ｂの範囲の変化は、複数段階としてもよいし、無段階としてもよい。また、領域Ｂは、最小に設定したときには存在しないようにしてもよい。
【００３７】
そして、例えば、集塵部などに塵埃が所定量以上溜まったときなど、電動送風機15に吸い込まれる風量が相対的に低下したときには、電動送風機15の電流値が相対的に低下するため、図７の一点鎖線に示すように、(３次)高調波電流も減少する。そこで、電流検出手段37により検出した電動送風機15の電流値が相対的に低下した(所定値以下になった)ときには、制御手段32が領域Ｂを縮小しても、(３次)高調波電流が所定の限度値Ｌを超えることがない。
【００３８】
このように、上記第２の実施形態によれば、電流検出手段37により検出した電動送風機15の電流値が予め設定された所定値以上であるときに、制御手段32が制御素子31により設定する電動送風機15の入力の位相角を、所定の限度値Ｌ以上の高調波が発生する所定の位相角の範囲、すなわち９０°付近を避けて決定することにより、例えば電動送風機15の電流値が所定値より小さく高調波が発生しにくい場合には、制御手段32による制御を簡略化できるとともに、可変操作部19のストローク操作、すなわち可変抵抗器33の抵抗値の変化に対して、電動送風機15のパワーの変化を、より滑らかに対応させることができる。
【００３９】
なお、上記各実施形態において、制御手段32により決定する領域Ｂでの入力は、高調波が所定の限度値Ｌを超えないように設定すれば、必ずしも一定としなくてもよい。
【００４０】
次に、第３の実施形態を、図８を参照して説明する。なお、上記各実施形態と同様の構成および作用については、同一符号を付してその説明を省略する。
【００４１】
この第３の実施形態は、上記各実施形態において、制御素子31により設定する電動送風機15の入力の位相角が、所定の限度値Ｌ以上の高調波が発生する所定の位相角、すなわち９０°より小さいときと大きいときとで、制御手段32が可変抵抗器33の抵抗値の変化量に対応する制御素子31により設定する電動送風機15の入力の位相角の変化量を異ならせるものである。
【００４２】
具体的に、制御手段32は、電動送風機15の入力の位相角が所定の限度値Ｌ以上の高調波が発生する位相角、ここでは９０°よりも小さい領域Ｄでは、可変抵抗器33の抵抗値の変化量に対応する制御素子31により設定する電動送風機15の入力の位相角の変化量を相対的に小さくし、電動送風機15の入力の位相角が所定の限度値Ｌ以上の高調波が発生する位相角、ここでは９０°以上の領域Ｅでは、可変抵抗器33の抵抗値の変化量に対応する制御素子31により設定する電動送風機15の入力の位相角の変化量を相対的に大きくする。すなわち、制御手段32は、変換テーブルによる位相角の変化率が、領域Ｄよりも領域Ｅにおいて大きく設定されていることで、制御素子31の位相角を、所定の限度値Ｌ以上の高調波が発生する位相角(９０°)付近を避けて決定するように構成されている。
【００４３】
したがって、可変抵抗器33の抵抗値が領域Ｄ内のときは、抵抗値の減少(増加)に対応して入力をリニア(線形)に増加(減少)させ、可変抵抗器33の抵抗値が領域Ｅ内のときは、抵抗値の減少(増加)に対応して入力を、領域Ｄ内のときよりも大きい変化率でリニア(線形)に増加(減少)させる。
【００４４】
このように、上記第３の実施形態によれば、制御素子31により設定する電動送風機15の入力の位相角が、所定の限度値Ｌ以上の高調波が発生する所定の位相角より小さいときと大きいときとで、制御手段32が、可変抵抗器33の抵抗値の変化量に対応する制御素子31により設定する電動送風機15の入力の位相角の変化量を異ならせることにより、使用者の可変操作部19の操作、すなわち可変抵抗器33の抵抗値の変化に対応して、電動送風機15のパワーをより滑らかに可変させることができる。
【００４５】
また、使用者は、一般に、電動送風機15のパワーを相対的に小さく設定するときにはそのパワーの微調整を必要とし、電動送風機15のパワーを相対的に大きく設定するときにはパワーの微調整を必要としない。そこで、電動送風機15の入力の位相角が所定の限度値Ｌ以上の高調波が発生する位相角(９０°)よりも小さい領域Ｄでは、可変抵抗器33の抵抗値の変化量に対応する制御素子31により設定する電動送風機15の入力の位相角の変化量を相対的に小さくし、電動送風機15の入力の位相角が所定の限度値Ｌ以上の高調波が発生する位相角(９０°)よりも大きい(以上の)領域Ｅでは、可変抵抗器33の抵抗値の変化量に対応する制御素子31により設定する電動送風機15の入力の位相角の変化量を相対的に大きくすることにより、電動送風機15のパワーが相対的に小さいときには、使用者が可変操作部19のストロークを大きく取った場合でも電動送風機15の入力(パワー)の変化量が小さいため、パワーの微調整が可能になり、電動送風機15のパワーが相対的に大きいときには、使用者が可変操作部19のストロークを大きく取ることなく電動送風機15の入力(パワー)を大きく変化させることができる。
【００４６】
そして、以上説明した各実施形態によれば、制御手段32が、可変抵抗器33の抵抗値に対応して、制御素子31により設定する電動送風機15の入力の位相角を、所定の限度値Ｌ以上の高調波が発生する所定の位相角の範囲、すなわち９０°付近を避けて決定することにより、汎用の可変抵抗器33を用いつつ、入力電流に含まれる高調波を抑制できる。このため、例えば電源電圧や最大入力が異なる電気掃除機11に対しても、高価な専用の可変抵抗器を用いる必要がないため、安価で汎用性に優れた電気掃除機11を提供できるとともに、高調波に起因する力率の低下およびノイズの発生を抑制できる。
【００４７】
特に、電気掃除機11は、一般に１０Ａ程度の大きな電流を用いる電動送風機15を用い、この電動送風機15の出力を０から最大までの広い領域に亘って制御し、かつ、使用者が設定する所定の入力で固定して使用するので、高調波が発生しやすい構成となっている。そのため、上記各実施形態のように制御手段32によって制御素子31による電動送風機15の入力の位相角を決定することにより、このような電気掃除機11においても、効果的に高調波を抑制できる。
【００４８】
また、可変操作部19の位置を目視することで使用者が電動送風機15のパワーを容易に確認でき、使い勝手が良好になる。
【００４９】
さらに、制御手段32をデジタル回路によって構成することで、電動送風機15の入力の位相角の決定を容易に制御できる。
【００５０】
なお、上記各実施形態において、可変抵抗器33の抵抗値の変化は、少なくとも所定の限度値Ｌ以上の高調波が発生する所定の位相角の範囲に対応する領域において滑らか、すなわち屈曲点を有さないように構成されていれば、必ずしもリニア(線形)でなくてもよい。すなわち、可変抵抗器33の抵抗値は、例えばいわゆるＬＯＧカーブなどに沿って変化するようにしてもよいし、抵抗値の上限値および下限値などの、所定の限度値Ｌ以上の高調波が発生する所定の位相角の範囲に対応する領域以外の領域において、屈曲点が形成されていてもよい。
【００５１】
また、可変抵抗器33は、例えば風路形成体13(手元操作部23)など、任意の位置に配置できる。
【００５２】
さらに、ゼロクロス検出手段34は、既知のゼロクロス検出回路に代えて、例えば制御手段32で商用交流電源ｅの電圧値を直接読み込み、この制御手段32内でゼロクロス点を検出するなど構成でもよい。具体的に、制御手段32は、商用交流電源ｅを半波にして分圧して電圧を取り込んでデジタル変換し、この電圧が０ボルトになった点からオフ時間に応じたトリガ信号を制御素子31に与えることで制御してもよい。
【００５３】
また、制御手段32は、例えばコンパレータなどを用いてアナログ回路によって構成することもできる。
【００５４】
そして、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
11    電気掃除機
15    電動送風機
31    制御素子
32    制御手段
33    可変抵抗器
37    電流検出手段
【図１】
2012090733.tif 000003
【図２】
2012090733.tif 000004
【図３】
2012090733.tif 000005
【図４】
2012090733.tif 000006
【図５】
2012090733.tif 000007
【図６】
2012090733.tif 000008
【図７】
2012090733.tif 000009
【図８】
2012090733.tif 000010